(57)【要約】【課題】本発明は、左右手操作方式を自由に取り替えることができるマウス、マウスシステム及びマウスの左右手操作方式を取り替える方法を提供することを目的とする。【解決手段】本発明のマウスシステムは、マウス及びマウスの左手操作方式及び右手操作方式を記憶したコンピューターを備え、マウスは検出ユニット及び処理ユニットを備え、検出ユニットは、左手でマウスを操作するか、それとも右手でマウスを操作するかを検出するために用いられ、検出ユニットによって左手でマウスを操作すると検出した場合、処理ユニットは左手識別信号を生じ、検出ユニットによって右手でマウスを操作すると検出した場合、処理ユニットは右手識別信号を生じ、コンピューターは、左手識別信号又は右手識別信号に基づいて、マウスの現在の操作方式を左手操作方式又は右手操作方式に変換する。本発明は、マウスの左右手操作方式を取り替える方法も提供する。【選択図】図２
2012003751.tif 000002
【特許請求の範囲】
【請求項１】
マウス及び前記マウスの左手操作方式及び右手操作方式を記憶したコンピューターを備えるマウスシステムであって、
前記マウスは、検出ユニット及び処理ユニットを備え、
前記検出ユニットは、左利きの人が左手で前記マウスを操作するか、それとも右利きの人が右手で前記マウスを操作するかを検出するために用いられ、
前記検出ユニットによって左利きの人が左手で前記マウスを操作すると検出した場合、前記処理ユニットは左手識別信号を生じ、前記検出ユニットによって右利きの人が右手で前記マウスを操作すると検出した場合、前記処理ユニットは右手識別信号を生じ、
前記コンピューターは、前記左手識別信号又は前記右手識別信号に基づいて、前記マウスの現在の操作方式を左手操作方式又は右手操作方式に変換することを特徴とするマウスシステム。
【請求項２】
前記マウスは、左機能ボタン及び右機能ボタンが設けられた上表面、前記上表面に対向する下表面、前記上表面及び前記下表面に接続され且つ対向する左側面及び右側面を備え、前記左機能ボタンは前記左側面に近く、前記右機能ボタンは前記右側面に近いことを特徴とする請求項１に記載のマウスシステム。
【請求項３】
前記検出ユニットは、前記左側面又は前記右側面に設けられるタッチ感応素子を備え、前記タッチ感応素子が予定時間タッチされると、前記タッチ感応素子はタッチ信号を生じ、
前記処理ユニットが前記タッチ信号を受信すると、前記処理ユニットは前記タッチ信号に基づいて左手識別信号又は右手識別信号を生じ、
前記処理ユニットが前記タッチ信号を受信せず、且つ前記マウスが予定時間操作されたことを前記マウス自身が判断すると、前記処理ユニットは右手識別信号又は左手識別信号を生じることを特徴とする請求項２に記載のマウスシステム。
【請求項４】
前記検出ユニットは、前記マウスの左側面及び右側面にそれぞれに設けられる２つのタッチ感応素子を備え、前記マウスの左側面に設けられたタッチ感応素子が予定時間タッチされると第一タッチ信号を送信し、前記処理ユニットは前記第一タッチ信号に基づいて左手識別信号を生じ、前記マウスの右側面に設けられたタッチ感応素子が予定時間タッチされると第二タッチ信号を送信し、前記処理ユニットは前記第二タッチ信号に基づいて右手識別信号を生じることを特徴とする請求項２に記載のマウスシステム。
【請求項５】
前記検出ユニットは、前記マウスの上表面に設けられ且つ前記マウスを操作する手の圧力を受けて対応する圧力値を生じる圧力感応素子を備え、
前記圧力感応素子は、前記マウスの上表面の一端に並んで設けられ且つ前記左機能ボタン及び前記右機能ボタンから離れている第一圧力感応領域及び第二圧力感応領域を備え、前記第一圧力感応領域は前記左機能ボタンに対向し、前記第二圧力感応領域は前記右機能ボタンに対向し、
前記処理ユニットは、前記第一圧力感応領域の圧力値と前記第二圧力感応領域の圧力値との間の大小関係を判断して、前記第一圧力感応領域の圧力値が前記第二圧力感応領域の圧力値より大きければ、前記処理ユニットは左手識別信号を生じ、前記第一圧力感応領域の圧力値が前記第二圧力感応領域の圧力値より小さければ、前記処理ユニットは右手識別信号を生じることを特徴とする請求項２に記載のマウスシステム。
【請求項６】
検出ユニット及び処理ユニットを備えてなるマウスであって、
前記検出ユニットは、左利きの人が左手で前記マウスを操作するか、それとも右利きの人が右手で前記マウスを操作するかを検出するために用いられ、
前記検出ユニットによって左利きの人が左手で前記マウスを操作すると検出した場合、前記処理ユニットは、前記マウスの操作方式を左手操作方式に変換させる左手識別信号を生じ、
前記検出ユニットによって右利きの人が右手で前記マウスを操作すると検出した場合、前記処理ユニットは、前記マウスの操作方式を右手操作方式に変換させる右手識別信号を生じることを特徴とするマウス。
【請求項７】
左手でマウスを操作するか、それとも右手でマウスを操作するかを検出するステップと、
左手で前記マウスを操作していることを検出した場合に左手識別信号を生じ、右手で前記マウスを操作していることを検出した場合に右手識別信号を生じるステップと、
前記左手識別信号に基づいて前記マウスの現在の操作方式を左手操作方式に変換するか、又は前記右手識別信号に基づいて前記マウスの現在の操作方式を右手操作方式に変換することを特徴とするマウスの左右手操作方式を取り替える方法。
【請求項８】
前記マウスは、左機能ボタン及び右機能ボタンが設けられた上表面、前記上表面に対向する下表面、前記上表面及び前記下表面に接続され且つ対向する左側面及び右側面を備え、前記左機能ボタンは前記左側面に近く、前記右機能ボタンは前記右側面に近く、
その左側面又は右側面に設けられるタッチ感応素子を備え、前記タッチ感応素子が予定時間タッチされると、前記タッチ感応素子はタッチ信号を生じ、
前記左手識別信号又は前記右手識別信号を生じるステップは、
前記タッチ信号を生じるステップと、
前記タッチ信号を受信すると、前記タッチ信号に基づいて前記左手識別信号又は前記右手識別信号のいずれか一方を生じるステップと、
前記タッチ信号を受信せず、且つ前記マウスが予定時間操作されたことを前記マウス自身が判断すると、前記右手識別信号又は前記左手識別信号のいずれか他方を生じるステップと、
を備えることを特徴とする請求項７に記載のマウスの左右手操作方式を取り替える方法。
【請求項９】
前記マウスは、その左側面及び右側面にそれぞれに設けられる２つのタッチ感応素子を備え、前記マウスの左側面に設けられたタッチ感応素子が予定時間タッチされると第一タッチ信号を生じ、前記マウスの右側面に設けられたタッチ感応素子が予定時間タッチされると第二タッチ信号を生じ、
前記左手識別信号又は前記右手識別信号を生じるステップは、
前記第一タッチ信号を生じるステップと、
前記第一タッチ信号に基づいて、前記左手識別信号を生じるステップと、
前記第二タッチ信号を生じるステップと、
前記第二タッチ信号に基づいて、前記右手識別信号を生じるステップと、
を備えることを特徴とする請求項７に記載のマウスの左右手操作方式を取り替える方法。
【請求項１０】
前記マウスは、その上表面に設けられ且つ前記マウスを操作する手の圧力を受けて対応する圧力値を生じる圧力感応素子を備え、前記圧力感応素子は、第一圧力値を生じる第一圧力感応領域及び第二圧力値を生じる第二圧力感応領域を備え、前記第一圧力感応領域及び前記第二圧力感応領域は、前記マウスの上表面の一端に並んで設けられ且つ前記マウスの他端に設けられた左機能ボタン及び前記右機能ボタンから離れており、前記左機能ボタンは前記マウスの左側面に近く、前記右機能ボタンは前記マウスの右側面に近く、前記第一圧力感応領域は前記左機能ボタンに対向し、前記第二圧力感応領域は前記右機能ボタンに対向し、
前記左手識別信号又は前記右手識別信号を生じるステップは、
前記第一圧力値と前記第二圧力値との間の大小関係を判断するステップと、
前記第一圧力値が前記第二圧力値より大きければ、前記左手識別信号を生じるステップと、
前記第一圧力値が前記第二圧力値より小さければ、前記右手識別信号を生じるステップと、
を備えることを特徴とする請求項７に記載のマウスの左右手操作方式を取り替える方法。
【発明の詳細な説明】
【技術分野】
【０００１】
本発明は、マウス、マウスシステム及びマウスの左右手操作方式を取り替える方法に関するものである。
【背景技術】
【０００２】
マウスは、コンピューターの入力設備として、その操作方式は通常右利きの人の右手操作方式であるので、左手操作方式に慣れている左利きの人に不便をもたらす。コンピューターを長時間も使用する人は、固定姿勢で片側のマウスを操作するので、体の片側の手首、腕及び肩が痛くなり、さらに職業病を誘発する可能性がある。
【０００３】
現在、マウスの左右手操作方式を取り替える方法は、ｗｉｎｄｏｗｓ（登録商標）操作システムのコントロールパネルにおけるマウスの左右手操作方式を捜して、必要とする操作方式に設定することであり、面倒である。
【発明の概要】
【発明が解決しようとする課題】
【０００４】
本発明の目的は、前記課題を解決し、左右手操作方式を自由に取り替えることができるマウス、マウスシステム及びマウスの左右手操作方式を取り替える方法を提供することである。
【課題を解決するための手段】
【０００５】
本発明に係るマウスシステムは、マウス及び前記マウスの左手操作方式及び右手操作方式を記憶したコンピューターを備え、前記マウスは、検出ユニット及び処理ユニットを備え、前記検出ユニットは、左利きの人が左手で前記マウスを操作するか、それとも右利きの人が右手で前記マウスを操作するかを検出するために用いられ、前記検出ユニットによって左利きの人が左手で前記マウスを操作すると検出した場合、前記処理ユニットは左手識別信号を生じ、前記検出ユニットによって右利きの人が右手で前記マウスを操作すると検出した場合、前記処理ユニットは右手識別信号を生じ、前記コンピューターは、前記左手識別信号又は前記右手識別信号に基づいて、前記マウスの現在の操作方式を左手操作方式又は右手操作方式に変換する。
【０００６】
本発明に係るマウスは、検出ユニット及び処理ユニットを備え、前記検出ユニットは、左利きの人が左手で前記マウスを操作するか、それとも右利きの人が右手で前記マウスを操作するかを検出するために用いられ、前記検出ユニットによって左利きの人が左手で前記マウスを操作すると検出した場合、前記処理ユニットは、前記マウスの操作方式を左手操作方式に変換させる左手識別信号を生じ、前記検出ユニットによって右利きの人が右手で前記マウスを操作すると検出した場合、前記処理ユニットは、前記マウスの操作方式を右手操作方式に変換させる右手識別信号を生じる。
【０００７】
本発明に係るマウスの左右手操作方式を取り替える方法は、左手でマウスを操作するか、それとも右手でマウスを操作するかを検出するステップと、左手で前記マウスを操作すると検出した場合に左手識別信号を生じるが、右手で前記マウスを操作すると検出した場合に右手識別信号を生じるステップと、前記左手識別信号に基づいて前記マウスの現在の操作方式を左手操作方式に変換するか、又は前記右手識別信号に基づいて前記マウスの現在の操作方式を右手操作方式に変換する。
【発明の効果】
【０００８】
本発明のマウス、マウスシステム及びマウスの左右手操作方式を取り替える方法は、検出ユニットによって、左利きの人が左手で前記マウスを操作するか、それとも右利きの人が右手で前記マウスを操作するかを検出して、前記マウスの左右手操作方式を自由に変換するので、操作が簡単である。
【図面の簡単な説明】
【０００９】
【図１】本発明の第一実施形態に係るマウスシステムの機能ブロック図である。
【図２】図１に示すマウスシステムのマウスの立体図である。
【図３】本発明の第二実施形態に係るマウスシステムの機能ブロック図である。
【図４】図３に示すマウスシステムのマウスの立体図である。
【図５】本発明の第一実施形態に係るマウスシステムのマウスの左右手操作方式を取り替える方法のフローチャートである。
【図６】本発明の第二実施形態に係るマウスシステムのマウスの左右手操作方式を取り替える方法のフローチャートである。
【発明を実施するための形態】
【００１０】
図１は、本発明の第一実施形態に係るマウスシステム１００の機能ブロック図である。前記マウスシステム１００は、コンピューター１０及びマウス２０を備える。本実施形態において、前記マウス２０は、有線マウスであり、連接線によって前記マウス２０を前記コンピューター１０に接続する。他の実施形態において、前記マウス２０は、無線マウスであってもよく、その場合には、前記コンピューター１０及び前記マウス２０は無線伝送方式で通信する。
【００１１】
図２を参照すると、前記マウス２０は、本体２１と、前記本体２１に設置される検出ユニット２３と、前記本体２１の内部に収容される処理ユニット２５と、を備える。
【００１２】
前記本体２１は、上表面２１０と、前記上表面２１０に対向する下表面２１２と、前記上表面２１０及び前記下表面２１２に接続され且つ対向する左側面２１４（図２で左手前側）及び右側面（図２で右向う側）と、を備える。前記上表面２１０には、左機能ボタン２１５、右機能ボタン２１６及びホイール２１７が設けられる。前記ホイール２１７は、前記左機能ボタン２１５と前記右機能ボタン２１６との間に位置し、且つ前記左機能ボタン２１５及び前記右機能ボタン２１６に囲まれる。前記左機能ボタン２１５及び前記右機能ボタン２１６は、前記上表面２１０の片側に位置し、前記左機能ボタン２１５は左側面２１４に近く、前記右機能ボタン２１６は右側面に近い。
【００１３】
前記検出ユニット２３は、左利きの人が左手で前記マウス２０を操作するか、それとも右利きの人が右手で前記マウス２０を操作するかを検出する。本実施形態において、前記検出ユニット２３は、タッチ感応素子であり、前記左機能ボタン２１５に近い左側面２１４に設けられる。前記検出ユニット２３は前記左側面２１４の中部領域に位置するので、右利きの人が右手で前記マウス２０を予定時間操作すると、前記検出ユニット２３は右利きの人の右手の親指にタッチされてタッチ信号を生じる。前記処理ユニット２５は、前記タッチ信号を受信して右手識別信号を生じる。
【００１４】
前記検出ユニット２３は前記左側面２１４の中部領域に位置するので、左利きの人が左手で前記マウス２０を予定時間操作すると、前記検出ユニット２３は左利きの人の左手にタッチされないのでタッチ信号を生じない。前記処理ユニット２５が前記検出ユニット２３からのタッチ信号を受信しなく、前記マウス２０が予定時間操作されたことを前記マウス２０自身が判断すると、前記処理ユニット２５は左手識別信号を生じる。具体的に説明すると、前記処理ユニット２５は、前記タッチ信号が存在するか否かを判断して、もし前記タッチ信号が存在すると、前記タッチ信号に基づいて右手識別信号を生じ、もし前記タッチ信号が存在しないと、前記マウス２０が予定時間操作されたか否かを前記マウス２０自身が判断し、もし前記マウス２０が予定時間操作されると、前記処理ユニット２５は左手識別信号を生じ、前記マウス２０の右手操作方式を左手操作方式に変換することをコンピューター１０に要求する。
【００１５】
前記コンピューター１０には前記マウス２０の左右手操作方式が記憶されており、前記左手識別信号に基づいて前記マウス２０の右手操作方式を左手操作方式に変換するか、又は前記右手識別信号に基づいて前記マウス２０の左手操作方式を右手操作方式に変換する。もちろんｗｉｎｄｏｗｓ（登録商標）操作システムのコントロールパネルにおけるマウスの左右手操作方式を捜して、前記マウス２０の左右手操作方式を設定することもできる。
【００１６】
他の実施形態において、前記検出ユニット２３は前記右機能ボタン２１６に近い右側面に設けられる。前記検出ユニット２３は前記右側面の中部領域に位置するので、左利きの人が左手で前記マウス２０を予定時間操作すると、前記検出ユニット２３は左利きの人の左手の親指にタッチされてタッチ信号を生じる。前記処理ユニット２５は、前記タッチ信号が存在するか否かを判断して、もし前記タッチ信号が存在すると、前記タッチ信号に基づいて左手識別信号を生じ、もし前記タッチ信号が存在しないと、前記マウス２０が予定時間操作されたか否かを前記マウス２０自身が判断し、もし前記マウス２０が予定時間操作されると、前記処理ユニット２５は右手識別信号を生じる。
【００１７】
他の実施形態において、前記検出ユニット２３は、前記マウス２０の左右の２つの側面２１４にそれぞれに設けられる２つのタッチ感応素子を備えることができる。前記マウス２０の左側面２１４に設けられたタッチ感応素子は、左利きの人の左手の親指にタッチされて前記処理ユニット２５に第一タッチ信号を送信し、前記処理ユニット２５は前記第一タッチ信号に基づいて左手識別信号を生じる。前記マウス２０の右側面に設けられたタッチ感応素子は、右利きの人の右手の親指にタッチされて前記処理ユニット２５に第二タッチ信号を送信し、前記処理ユニット２５は前記第二タッチ信号に基づいて右手識別信号を生じる。
【００１８】
上述したように、本発明の第一実施形態に係るマウスシステム１００は、前記検出ユニット２３によって、左利きの人が左手で前記マウス２０を操作するか、それとも右利きの人が右手で前記マウス２０を操作するかを検出して、前記マウス２０の左右手操作方式を自由に変換するので、操作が簡単である。
【００１９】
前記マウス２０に指示ランプ（図示せず）を設けることができる。従って、前記処理ユニット２５は、前記マウス２０の左右手操作方式の異なる作動状態に基づいて、前記指示ランプを点灯するか又は消灯して、左利きの人が左手で前記マウス２０を操作するか、それとも右利きの人が右手で前記マウス２０を操作するかを表示する。例えば、左利きの人が左手で前記マウス２０を操作する際、前記処理ユニット２５は前記マウス２０の指示ランプを点灯させて、前記マウス２０の操作方式が左手操作方式であることを表示し、右利きの人が右手で前記マウス２０を操作する際、前記処理ユニット２５は前記マウス２０の指示ランプを消灯させて、前記マウス２０の操作方式が右手操作方式であることを表示する。
【００２０】
図３及び図４を参照すると、前記第一実施形態に係るマウスシステム１００のタッチ感応素子と異なり、本発明の第二実施形態に係るマウスシステム１００ａの検出ユニット２３ａは圧力感応素子であり、マウス２０ａを操作する手の圧力値を検出するために用いられる。
【００２１】
前記検出ユニット２３ａは、前記マウス２０ａの上表面２１０の一端に設けられ且つ前記左機能ボタン２１５及び前記右機能ボタン２１６から離れており、前記マウス２０ａを操作する手の圧力を受けて対応する圧力値を生じる。前記検出ユニット２３ａは、第一圧力値を生じる第一圧力感応領域２３１及び第二圧力値を生じる第二圧力感応領域２３２を備える。前記第一圧力感応領域２３１及び前記第二圧力感応領域２３２は、並んで設置され、前記第一圧力感応領域２３１は前記左機能ボタン２１５に対向し、前記第二圧力感応領域２３２は前記右機能ボタン２１６に対向する。
【００２２】
右利きの人が右手で前記マウス２０ａを操作する際、右手掌が前記マウス２０ａの上表面２１０の第一圧力感応領域２３１及び第二圧力感応領域２３２に対面し、親指が左側面２１４に位置し、親指の付根部が前記第一圧力感応領域２３１に位置し、小指が右側面又はテーブルに位置し、小指の付根部が前記第二圧力感応領域２３２に位置し、全体として右手掌がマウス２０ａに対して斜めに配置される。この場合、前記第一圧力感応領域２３１の第一圧力値は前記第二圧力感応領域２３２の第二圧力値より小さい。左利きの人が左手で前記マウス２０ａを操作する際、前記第一圧力感応領域２３１の第一圧力値は前記第二圧力感応領域２３２の第二圧力値より大きい。
【００２３】
前記マウス２０ａの処理ユニット２５ａは、前記第一圧力値と前記第二圧力値との間の大小関係を判断するために用いられる。前記第一圧力値が前記第二圧力値より大きければ、前記処理ユニット２５ａは左手識別信号を生じる。前記第一圧力値が前記第二圧力値より小さければ、前記処理ユニット２５ａは右手識別信号を生じる。
【００２４】
本実施形態に係るマウスシステム１００ａは、前記第一実施形態に係るマウスシステム１００と同じ効果を有する。他の実施形態において、前記マウスシステム１００のタッチ感応素子及び前記マウスシステム１００ａの圧力感応素子を１つのマウスに同時に設けることができ、従って左利きの人が左手で前記マウスを操作するかそれとも右利きの人が右手でマウスを操作するかを精確に判断して、マウスの左右手操作方式を自由に変換する。
【００２５】
図５を参照すると、本発明の第一実施形態に係るマウスシステム１００のマウス２０の左右手操作方式を取り替える方法は、以下のステップを備える。
【００２６】
ステップＳ５０：前記検出ユニット２３が予定時間タッチされると、前記検出ユニット２３はタッチ信号を生じる。
【００２７】
ステップＳ５１：前記処理ユニット２５は、前記タッチ信号が存在するか否かを判断する。
【００２８】
ステップＳ５２：前記タッチ信号が存在すると、前記処理ユニット２５は前記タッチ信号に基づいて右手識別信号を生じる。
【００２９】
ステップＳ５４：前記コンピューター１０は、前記右手識別信号に基づいて、前記マウス２０の操作方式を右手操作方式に変換する。
【００３０】
ステップＳ５６：前記タッチ信号が存在しないと、前記マウス２０が予定時間操作されたか否かを前記マウス２０自身が判断する。
【００３１】
ステップＳ５７：前記マウス２０が予定時間操作されると、前記処理ユニット２５は左手識別信号を生じる。
【００３２】
ステップＳ５８：前記コンピューター１０は、前記左手識別信号に基づいて、前記マウス２０の操作方式を左手操作方式に変換する。
【００３３】
前記検出ユニット２３が前記マウス２０の右機能ボタン２１６に近い右側面に設けられるか、又は前記検出ユニット２３が前記マウス２０の左側面２１４と右側面にそれぞれに設けられる２つのタッチ感応素子を備えると、上述のステップに対応するように調整する。
【００３４】
上述したように、本発明の第一実施形態に係るマウスシステム１００のマウス２０の左右手操作方式を取り替える方法は、左利きの人が左手で前記マウス２０を操作するか、それとも右利きの人が右手で前記マウス２０を操作するかを検出して、前記マウス２０の左右手操作方式を自由に変換するので、操作が簡単である。
【００３５】
図６を参照すると、本発明の第二実施形態に係るマウスシステム１００ａのマウス２０ａの左右手操作方式を取り替える方法は、以下のステップを備える。
【００３６】
ステップＳ６０：前記第一圧力感応領域２３１に対応する第一圧力値を生じる。
【００３７】
ステップＳ６２：前記第二圧力感応領域２３２に対応する第二圧力値を生じる。
【００３８】
ステップＳ６４：前記第一圧力値と前記第二圧力値との間の大小関係を判断する。
【００３９】
ステップＳ６６：前記第一圧力値が前記第二圧力値より大きければ、左手識別信号を生じる。
【００４０】
ステップＳ６７：前記コンピューター１０は、前記左手識別信号に基づいて、前記マウス２０ａの操作方式を左手操作方式に変換する。
【００４１】
ステップＳ６８：前記第一圧力値が前記第二圧力値より小さければ、右手識別信号を生じる。
【００４２】
ステップＳ６９：前記コンピューター１０は、前記右手識別信号に基づいて、前記マウス２０ａの操作方式を右手操作方式に変換する。
【００４３】
本実施形態に係る前記マウスシステム１００ａのマウス２０ａの左右手操作方式を取り替える方法は、前記第一実施形態に係るマウスシステム１００のマウス２０の左右手操作方式を取り替える方法と同じ効果を有するので、この二種の方法を１つのマウスに使用して、左利きの人が左手でマウスを操作するかそれとも右利きの人が右手でマウスを操作するかを精確に判断して、マウスの左右手操作方式を自由に変換する。
【００４４】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００４５】
１００，１００ａ  マウスシステム
１０  コンピューター
２０，２０ａ  マウス
２１  本体
２３，２３ａ  検出ユニット
２５，２５ａ  処理ユニット
２１０  上表面
２１２  下表面
２１４  左（右）側面
２１５  左機能ボタン
２１６  右機能ボタン
２１７  ホイール
２３１  第一圧力感応領域
２３２  第二圧力感応領域
【図１】
2012003751.tif 000003
【図２】
2012003751.tif 000004
【図３】
2012003751.tif 000005
【図４】
2012003751.tif 000006
【図５】
2012003751.tif 000007
【図６】
2012003751.tif 000008